(57)【要約】【課題】栓刃挿入口に異物が侵入することを抑制するとともに、機器に容易に組み込むことができるコンセントおよびこれを備える充電装置を提供する。【解決手段】コンセント１０は、プラグの栓刃が挿入される栓刃挿入口２５を前面に有するコンセント本体２０と、このコンセント本体２０の前面に取り付けられるとともに、栓刃挿入口２５を覆う閉位置と栓刃挿入口２５を外部に露出させる開位置との間を変位可能な扉体３１とを備えている。コンセント本体２０には、コンセント本体２０の前面から前方に向けて突出する突状部２３が設けられている。突状部２３の前面２３Ａには、栓刃挿入口２５が設けられ、扉体３１は突状部２３に取り付けられている。【選択図】図１
2011228257.tif 000002
【特許請求の範囲】
【請求項１】
プラグの栓刃が挿入される栓刃挿入口を前面に有するコンセント本体と、少なくとも前記栓刃挿入口を前方から覆う閉位置と前記栓刃挿入口を外部に露出させる開位置との間を変位可能な扉体とを備えるコンセントであって、
前記コンセント本体には、前記コンセント本体の前面から前方に向けて突出する突状部が設けられ、
前記扉体は、前記突状部に取り付けられ、
前記突状部の前面には、前記栓刃挿入口が設けられることを特徴とするコンセント。
【請求項２】
請求項１に記載のコンセントにおいて、
前記突状部の前面には、後方に向けて凹む凹所が設けられ、
前記凹所の底面には、前記栓刃挿入口が設けられ、
前記扉体は、前記凹所を覆うことを特徴とするコンセント。
【請求項３】
請求項１または２に記載のコンセントにおいて、
前記扉体には、栓刃が前記栓刃挿入口に挿入された状態において、プラグに設けられた突起部を固定することにより前記栓刃が前記栓刃挿入口から抜けることを防止する固定部が設けられることを特徴とするコンセント。
【請求項４】
請求項１〜３のいずれか一項に記載のコンセントにおいて、
前記扉体は、前記扉体の一端が前記突状部に取り付けられるとともに、前記扉体の他端が前記扉体の一端を回動中心として、前記突状部の前面に前記扉体が当接することで前記栓刃挿入口を覆う閉位置と前記開位置との間を回動可能であるものであり、
前記扉体が前記突状部の前面に当接した状態において、前記扉体の他端側の端部は前記突状部よりも他端側に突出することを特徴とするコンセント。
【請求項５】
請求項１〜４のいずれか一項に記載のコンセントにおいて、
前記コンセント本体には、前記突状部の周囲を覆うことによりコンセント本体の前面を平滑にするカバーが取り付けられることを特徴とするコンセント。
【請求項６】
請求項１〜５のいずれか一項に記載のコンセントにおいて、
前記突状部の前面及び前記扉体のうちの一方には凸部が設けられるとともに、前記突状部の前面及び前記扉体のうちの他方には、前記扉体が前記閉位置に移動した状態で前記凸部が嵌る凹部が設けられたことを特徴とするコンセント。
【請求項７】
請求項１〜６のいずれか一項に記載のコンセントが組み込まれる充電装置であって、
当該充電装置は、バッテリを備える外部機器に対してケーブルを介して接続することにより同バッテリの充電を行うことを特徴とする充電装置。
【発明の詳細な説明】
【技術分野】
【０００１】
本発明は、プラグの栓刃が挿入される栓刃挿入口を有するコンセント本体と、このコンセント本体の前面に取り付けられるとともに、栓刃挿入口を覆う閉位置と栓刃挿入口を外部に露出させる開位置との間を変位可能な扉体とを備えるコンセントおよびこれを備える充電装置に関する。
【背景技術】
【０００２】
従来、コンセントとして特許文献１に記載のものが知られている。このようなコンセントは、家屋の壁面に露出して取り付けたり、分電盤等の盤の内部に組み込まれたりするものである。
【０００３】
また、このようなコンセントは、近年では電気自動車にケーブルを介して接続されることにより電気自動車の充電を行う電気自動車充電スタンドに組み込まれることもある。
【先行技術文献】
【特許文献】
【０００４】
【特許文献１】特開２００２−１３４２１６号公報
【発明の概要】
【発明が解決しようとする課題】
【０００５】
しかしながら、プラグの栓刃がコンセントの栓刃挿入口に接続されていない状態では、栓刃挿入口を介して外部とコンセント内部とが連通するため、コンセント内部に虫やほこり等の異物が侵入してしまうおそれがある。このような異物の侵入の問題に対しては、コンセントの表面に栓刃挿入口を覆う扉体を設けることにより解決することができる。
【０００６】
しかしながら、コンセントに扉体を設けた構成では、分電盤や電気自動車充電スタンドのような機器に組み込まれる場合において、扉体が組み込み機器の構成部材と干渉するおそれがあるため、組み込み機器に対するコンセントの位置決めが困難である。
【０００７】
本発明は、上記課題に鑑みてなされたものであり、その目的は、栓刃挿入口に異物が侵入することを抑制するとともに、機器に容易に組み込むことができるコンセントおよびこれを備える充電装置を提供することにある。
【課題を解決するための手段】
【０００８】
本発明のコンセントは、プラグの栓刃が挿入される栓刃挿入口を前面に有するコンセント本体と、少なくとも栓刃挿入口を前方から覆う閉位置と栓刃挿入口を外部に露出させる開位置との間を変位可能な扉体とを備える。コンセント本体には、コンセント本体の前面から前方に向けて突出する突状部が設けられる。扉体は、突状部に取り付けられ、突状部の前面には、栓刃挿入口が設けられることを特徴とする。
【０００９】
このコンセントにおいて、突状部の前面には、後方に向けて凹む凹所が設けられ、凹所の底面には、栓刃挿入口が設けられ、扉体は、凹所を覆うことが好ましい。
【００１０】
このコンセントにおいて、扉体には、栓刃が栓刃挿入口に挿入された状態において、プラグに設けられた突起部を固定することによりプラグの栓刃が栓刃挿入口から抜けることを防止する固定部が設けられることが好ましい。
【００１１】
このコンセントにおいて、扉体は、扉体の一端が突状部に取り付けられるとともに、扉体の他端が扉体の一端を回動中心として、突状部の前面に扉体が当接することで栓刃挿入口を覆う閉位置と開位置との間を回動可能である。そして、扉体が突状部の前面に当接した状態において、扉体の他端側の端部は突状部よりも他端側に突出することが好ましい。
【００１２】
このコンセントにおいて、コンセント本体には、突状部の周囲を覆うことによりコンセント本体の前面を平滑にするカバーが取り付けられることが好ましい。
【００１３】
このコンセントにおいて、突状部の前面及び扉体のうちの一方には凸部が設けられ、突状部の前面及び扉体のうちの他方には、扉体が閉位置に移動した状態で凸部が嵌る凹部が設けられることも好ましい。
【００１４】
このコンセントを備える充電装置において、バッテリを備える外部機器に対してケーブルを介して接続することにより同バッテリの充電を行うことが好ましい。
【発明の効果】
【００１５】
本発明によれば、栓刃挿入口に異物が侵入することを抑制するとともに、機器に容易に組み込むことができるコンセントおよびこれを備える充電装置を提供することができる。
【図面の簡単な説明】
【００１６】
【図１】コンセントの一実施形態を示し、（ａ）および（ｂ）は同コンセントを備える充電スタンドの斜視図、（ｃ）はコンセント周辺の分解斜視構造を示す斜視図である。
【図２】同実施形態のコンセントの分解斜視構造を示す斜視図である。
【図３】同実施形態のコンセントについて、（ａ）は扉体が開位置の状態のコンセントの斜視構造を示す斜視図、（ｂ）は扉体が閉位置の状態のコンセントの斜視構造を示す斜視図、（ｃ）は扉体が閉位置の状態の扉体の先端部分を拡大した拡大図である。
【図４】同実施形態のコンセントに接続されるプラグについて、（ａ）はプラグを上方から見た斜視構造を示す斜視図、（ｂ）はプラグを下方から見た斜視構造を示す斜視図である。
【図５】（ａ）〜（ｄ）は、同実施形態のコンセントにプラグを接続する態様を示す模式図。
【図６】同実施形態のコンセントおよびプラグについて、（ａ）および（ｂ）は、コンセントにプラグが接続された状態において、コンセントの突起部とプラグの突起部との位置関係を示す平面図。
【図７】（ａ）〜（ｃ）は、同実施形態のコンセントからプラグを抜き去る態様を示す模式図。
【図８】コンセントのその他の実施形態について、コンセントの斜視構造を示す斜視図。
【図９】コンセントのその他の実施形態について、コンセントの斜視構造を示す斜視図。
【図１０】コンセントのその他の実施形態について、コンセントの斜視構造を示す斜視図。
【図１１】コンセントのその他の実施形態について、（ａ）および（ｂ）は扉体の先端部周辺を拡大した拡大図。
【図１２】比較例のコンセントの断面構造を模式的に示す模式断面図。
【図１３】コンセントのその他の実施形態を示し、（ａ）はコンセントの斜視構造を示す斜視図、（ｂ）はコンセントの斜視構造を示す分解斜視図である。
【図１４】コンセントのその他の実施形態を示し、扉体が外された状態の正面図である。
【図１５】コンセントのその他の実施形態を示し、（ａ）は扉体の裏面図、（ｂ）は扉体を裏側から見た斜視図である。
【発明を実施するための形態】
【００１７】
図１〜７を参照して、充電スタンドに設けられるコンセントとして具体化したコンセントの一実施形態について説明する。
【００１８】
図１に示すように、充電スタンド１は、電気自動車にケーブルを介して接続することにより、電気自動車に搭載されたバッテリに充電する充電装置である。充電スタンド１は、例えば屋外の駐車場に立設されている。
【００１９】
充電スタンド１は、縦長の直方体形状にて形成されたスタンド本体２と、スタンド本体２の所定高さの位置に設けられた横開閉式の扉３とを含む。扉３は略四角形状に形成されるとともに、図１（ａ）に示す閉位置と図１（ｂ）に示す開位置との間で開閉可能に変位する。図１（ｂ）に示すように、スタンド本体２の扉３に対応する部位には、凹所４が設けられている。凹所４を構成する奥側の壁体５の略中央部には、コンセント１０が取り付けられている。すなわちコンセント１０は、充電スタンド１に組み込まれている。
【００２０】
図１（ｃ）に示すように、壁体５には、コンセント１０を露出するための開口部５Ａと、開口部５Ａの周囲に４つの取付孔５Ｂとが設けられている。コンセント１０は、各取付孔５Ｂを介してねじ６によって壁体５に取り付けられる。
【００２１】
以降では、充電スタンド１の立設する方向である長手方向を「上下方向Ｚ」とし、充電スタンド１の短手方向を「左右方向Ｙ」とし、上下方向Ｚおよび左右方向Ｙの両方に直交する方向を「前後方向Ｘ」とする。前後方向Ｘにおいて扉３が設けられる側を「前方」とし、コンセント１０が設けられる側、すなわち充電スタンド１の奥側を「後方」とする。
【００２２】
図２および図３を参照して、コンセント１０の構成について説明する。
【００２３】
図２に示すように、コンセント１０は、プラグ５０の栓刃５２（図４参照）が挿入される栓刃挿入口２５が前面に形成されるコンセント本体２０と、コンセント本体２０に取り付けられるとともに栓刃挿入口２５を開閉可能に変位する扉体開閉機構３０とを含む。
【００２４】
コンセント本体２０には、樹脂材料を用いて成形された直方体形状のケース２１が設けられている。ケース２１内には、栓刃５２が接続されることにより栓刃５２に電力が供給される刃受部材（不図示）が収納されている。
【００２５】
ケース２１の前面２２の左右方向Ｙの中央部には、前面２２より前方に向けて突出する突状部２３が設けられている。ケース２１の前面２２の４隅には、ねじ６を固定するためのねじ穴２６がそれぞれ設けられている。
【００２６】
突状部２３は、前方から見た平面視において上方が湾曲形状となるとともに下方が矩形状となるように形成されている。また突状部２３の突出量、すなわちケース２１の前面２２と突状部２３の前面２３Ａとの前後方向Ｘの距離は、壁体５（図１参照）の前後方向Ｘの厚さである板厚よりも若干大きい。
【００２７】
突状部２３の前面２３Ａの下端部には、突状部２３よりも前方に向けて突出する支持部２７が設けられている。この支持部２７には、扉体開閉機構３０が取り付けられる。
【００２８】
突状部２３の中央部には、突状部２３の前面２３Ａから後方に向けて凹む凹所２４が設けられている。この凹所２４は、前方から見た平面視において円形に形成されている。凹所２４の内径は、プラグ５０のプラグボディ５１（図４参照）の先端部の外径と略等しい。具体的には、凹所２４の内径は、プラグボディ５１の外径よりも若干大きい。
【００２９】
凹所２４の底面２４Ａには、栓刃挿入口２５が設けられている。栓刃挿入口２５は、左右方向Ｙに配列された電源用挿入口２５Ａと、２つの電源用挿入口２５Ａの間かつ電源用挿入口２５Ａより下方に配置された接地用挿入口２５Ｂとを含む。尚、電源用挿入口２５Ａの形状は本実施形態のものに限定されるものではなく、電源の定格容量に応じた形状とすればよいし、接地が不要であれば接地用挿入口２５Ｂを無くしてもよい。
【００３０】
支持部２７には、左右方向Ｙに向けて支持部２７を貫通する貫通孔２７Ａが設けられている。貫通孔２７Ａは、突状部２３の前面２３Ａよりも前方となるように設けられている。
【００３１】
扉体開閉機構３０は、栓刃挿入口２５を開閉する扉体３１と、貫通孔２７Ａに挿入されるシャフト３２と、シャフト３２と扉体３１との間に係合されるつるまきばね（以下、「ばね部材３３」）とを含む。
【００３２】
扉体３１は、扉体３１が開位置において、突状部２３と同様に、前方が湾曲形状となるとともに後方が矩形状となる平板状に形成されている。扉体３１の左右方向Ｙの幅は、突状部２３の下方の部位、すなわち突状部２３の矩形状の部位の左右方向Ｙの幅と略等しい。
【００３３】
扉体３１の左右方向Ｙの中央部には、下方に向けて凹む凹所４１が設けられている。凹所４１は、前後方向Ｘに向けて延びるとともに、後方の部位の左右方向Ｙの幅が前方の部位の左右方向Ｙの幅よりも大きくなるように形成されている。
【００３４】
扉体３１の前端部には、すなわち扉体３１の凹所４１よりも前方には、湾曲凹部４２が設けられている。湾曲凹部４２は、同凹部４２の左右方向Ｙの内部かつ前方に向かい下方に向けて湾曲状に凹む形状にて形成されている。
【００３５】
扉体３１の後端部には、シャフト３２（図２参照）を挿通する一対のシャフト挿通部４３が左右方向Ｙにおいて凹所４１を挟むように設けられている。そして、扉体開閉機構３０がコンセント本体２０に取り付けられた状態において、一対のシャフト挿通部４３は支持部２７を左右方向Ｙの両側から挟む。
【００３６】
凹所４１の前方の底面４１Ａには、プラグ５０がコンセント１０に接続された状態において、プラグ５０に当接する２つの当接突起部４４が左右方向Ｙに近接して配列されている。当接突起部４４は、左右方向Ｙから見た平面視において底面４１Ａから上方に向けて突出する三角形状に形成されている。すなわち当接突起部４４には、後方に向かうにつれて上方に向けて傾斜する傾斜部４４Ａと、傾斜部４４Ａの頂部と底面４１Ａとを連結するとともに上下方向Ｚに沿って延びる固定部４４Ｂとが設けられている。
【００３７】
扉体３１は、図３（ａ）に示すように栓刃挿入口２５を外部に露出する開位置と図３（ｂ）に示すように栓刃挿入口２５を前方から覆う閉位置との間を変位可能である。すなわち、扉体３１は、シャフト３２を回動中心として開位置と閉位置との間を回動可能となる。以降では、扉体３１の回動方向を「開閉方向Ｗ」とし、扉体３１を開く方向を「開方向」とし、扉体３１を閉じる方向を「閉方向」とする。
【００３８】
図３（ａ）および図３（ｂ）に示すように、シャフト３２は突状部２３の前面２３Ａよりも前方に配置されている。そして、扉体３１が開位置および閉位置の両方の場合において、扉体３１の全体が同前面２３Ａよりも前方に配置されている。
【００３９】
図３（ｂ）に示すように、扉体３１が閉位置のとき、扉体３１は凹所２４を前方から覆う。具体的には、扉体３１が突状部２３の前面２３Ａのうちの凹所２４の周縁の部位と当接する。また、ばね部材３３（図２参照）は、扉体３１を閉方向に向けて付勢している。これにより、扉体３１が閉位置のとき、ばね部材３３の付勢力により、扉体３１は突状部２３の前面２３Ａを後方に向けて付勢している。また扉体３１が閉位置のとき、シャフト挿通部４３は、突状部２３の下端部よりも上方に配置されている。
【００４０】
図３（ｃ）に示すように、扉体３１が閉位置において、扉体３１の支持部２７に取り付けられる一端に対して、扉体３１の一端を回動中心として扉体３１が移動可能である他端である先端部４５は、突状部２３の他端部よりも他端側に突出している。すなわち扉体３１が閉位置において扉体３１の上端部は、突状部２３の上端部よりも上方に突出している。
【００４１】
図４を参照して、プラグ５０の構成について説明する。
【００４２】
図４（ａ）に示すように、プラグ５０は、前後方向Ｘに長手となる円筒形状に形成されるとともに使用者が把持するプラグボディ５１と、プラグボディ５１から後方に向けて突出する栓刃５２と、プラグボディ５１の前端部に接続されるケーブル５３とを含む。栓刃５２は、左右方向Ｙに配列される一対の電源用栓刃５２Ａと、２つの電源用栓刃５２Ａの左右方向Ｙの間かつ栓刃５２Ａより下方に配置される接地ピン５２Ｂとを含む。電源用栓刃５２Ａは、平板形状に形成されている。接地ピン５２Ｂは丸ピン形状に形成されている。
【００４３】
プラグボディ５１の後端部の上方には、電源用栓刃５２Ａと接地ピン５２Ｂとの位置を示す位置表示部５４が設けられている。プラグボディ５１の前後方向Ｘの中央部の両側面には、使用者の指がかかる平面形状の把持部５５が設けられている。プラグボディ５１の前後方向Ｘの中央部の下方には、下方に向けて球面状に突出する突起部５６が設けられている。
【００４４】
位置表示部５４は前後方向Ｘに沿って延びる長方形状の突起である。そして位置表示部５４がプラグ５０の上方に位置する場合には、電源用栓刃５２Ａが左右方向Ｙに配列されるとともに、その下方に接地ピン５２Ｂが配置される。
【００４５】
図４（ｂ）に示すように、突起部５６は、前方に向かうにつれて下方に傾斜する傾斜部５７と、傾斜部５７の下端部から前方に向けて延びる頂部５８と、頂部５８の前端部から前方に向かうにつれて上方に傾斜する当接部５９とを含む。傾斜部５７の左右方向Ｙの中央部には、上方に向けて凹む後方凹部５７Ａが設けられている。当接部５９の左右方向Ｙの中央部には、上方に向けて凹む前方凹部５９Ａが設けられている。これら凹部５７Ａ，５９Ａは、頂部５８により区画されている。
【００４６】
後方凹部５７Ａは、後方に向かうにつれて左右方向Ｙの幅が大きくなるように傾斜する一対の後方側面５７Ｂと、後方側面５７Ｂの前端部において左右方向Ｙに後方側面５７Ｂを連結するとともに上下方向Ｚに沿って延びる連結面５７Ｃとを含む。
【００４７】
前方凹部５９Ａは、左右方向Ｙにおいて互いに対向するとともに上下方向Ｚに沿って延びる一対の前方側面５９Ｂと、前方側面５９Ｂの後端部において左右方向Ｙに前方側面５９Ｂを連結するとともに上下方向Ｚに沿って延びる当接面５９Ｃとを含む。
【００４８】
図５および図６を参照して、プラグ５０をコンセント１０に接続する態様について説明する。なお、図５では、コンセント１０の内部構造を省略して示すとともに、扉体３１のみを断面構造として示している。また、プラグ５０のケーブル５３を省略して示している。
【００４９】
図５（ａ）に示すように、扉体３１が閉位置の状態から使用者が扉体３１を開位置となるように変位させる（以下、「開操作」）。この扉体３１の状態において、図５（ｂ）に示すように、プラグ５０の位置表示部５４が上方となるようにプラグ５０の向きを調整した後、プラグ５０の突起部５６が扉体３１の凹所４１に収容するようにプラグ５０を扉体３１に当接させる。
【００５０】
この状態において、栓刃５２は栓刃挿入口２５（図３参照）に対して前後方向Ｘに対応した位置に配置される。具体的には、接地ピン５２Ｂの先端部は、接地用挿入口２５Ｂ（図３参照）に挿入された状態となる。一方、電源用栓刃５２Ａは、電源用挿入口２５Ａ（図３参照）よりも前方に配置されている。そしてこの状態において、プラグ５０を後方に向けて挿入すると、栓刃５２は栓刃挿入口２５に挿入される。
【００５１】
加えて、突起部５６の左右方向Ｙの幅と凹所４１の当接突起部４４よりも前方の部位の左右方向Ｙの幅とは略等しい。具体的には、凹所４１の上記部位の幅は、突起部５６の幅よりも若干大きい。これにより、突起部５６が凹所４１に収容された状態において、プラグ５０が扉体３１に対して左右方向Ｙに移動しようとしたとき、突起部５６が凹所４１の左右方向Ｙの側面に接触する。その結果、プラグ５０の扉体３１に対する左右方向Ｙの移動が規制される。
【００５２】
そして図５（ｃ）に示すように、プラグ５０を後方に移動させて、突起部５６と扉体３１の当接突起部４４とを当接させることにより、扉体３１は図５（ａ）に示す開位置よりも開方向の位置となるように回動される。このとき、電源用栓刃５２Ａの先端部は、電源用挿入口２５Ａ（図３参照）に挿入される。
【００５３】
図５（ｄ）に示すように、突起部５６が当接突起部４４の頂部を乗り越えた後、扉体３１はばね部材３３（図２参照）の付勢力により閉方向に向かい回動するとともに突起部５６が凹所４１の底面４１Ａに当接した状態にて回動が停止する。このとき、栓刃５２が栓刃挿入口２５（図２参照）に挿入された状態となるとともにプラグ５０がコンセント１０に接続完了となる。
【００５４】
この状態において、凹所２４の内周面とプラグボディ５１の外周面との間には僅かな隙間が形成される。ここで、「僅かな隙間」とは、使用者の指が入ることができない程度に小さい隙間である。これにより、図５（ｃ）から図５（ｄ）の状態となるようにプラグ５０を挿入するときに、使用者の指が凹所２４内に入ることが抑制される。
【００５５】
図６に示すように、コンセント１０にプラグ５０が接続された状態において、当接突起部４４は、前方凹部５９Ａ内に収容される。具体的には、図６（ａ）に示すように、当接突起部４４の固定部４４Ｂは、当接面５９Ｃに前後方向Ｘにおいて当接している。加えて、図６（ｂ）に示すように、当接突起部４４は、一対の前方側面５９Ｂの左右方向Ｙの間に配置されるとともに、各前方側面５９Ｂと近接している。具体的には、前方側面５９Ｂの左右方向Ｙの幅Ｔ１は、２つの当接突起部４４の左右方向Ｙの幅Ｔ２と略等しい。詳細には、前方側面５９Ｂの幅Ｔ１は、当接突起部４４の幅Ｔ２よりも若干大きい。これにより、扉体３１は、プラグ５０を固定する。詳細には、当接突起部４４と突起部５６とが互いに固定することにより、栓刃５２が栓刃挿入口２５（図２参照）から抜けることを防止している。
【００５６】
図７を参照して、コンセント１０からプラグ５０を抜き去る態様について説明する。なお、図７では、コンセント１０の内部構造を省略して示すとともに、扉体３１のみを断面構造として示している。また、プラグ５０のケーブル５３を省略して示している。
【００５７】
図７（ａ）に示すように、使用者が扉体３１を開方向に移動させる。この状態において、突起部５６と当接突起部４４との係合が外された状態となる。そして図７（ｂ）に示すように、使用者がプラグ５０を前方に引き抜くことにより、図７（ｃ）に示すようなコンセント１０からプラグ５０が引き抜かれた状態となる。このとき、使用者が扉体３１から指を離すとばね部材３３の付勢力により扉体３１は閉位置となるように回動する。
【００５８】
本実施形態によれば、以下の効果を奏することができる。
【００５９】
（１）本実施形態によれば、プラグ５０がコンセント１０に接続されていないときに扉体３１が栓刃挿入口２５を覆うことにより、虫等の異物が栓刃挿入口２５を介してコンセント１０内部に侵入することを抑制することができる。
【００６０】
ところで、図１２に示すように、コンセント本体１１０に突状部が設けられていない場合、コンセント１００の壁体５に対する位置決めを行うことが困難である。したがって、コンセント１００を壁体５の所望の取付位置に対して上方にずれた位置に取り付けた場合、扉体１２０が壁体５に接触することにより、扉体１２０が栓刃挿入口を完全に覆うことができなくなる。その結果、栓刃挿入口を介してコンセント本体１１０内部に異物が侵入してしまう場合がある。
【００６１】
また、コンセント１００を壁体５の所望の取付位置に対して下方にずれた位置に取り付けた場合、コンセント１００において扉体１２０を回動する中心となる支持部１３０が壁体５と接触してしまう。その結果、扉体１２０が閉位置から開位置に向けて回動することができなくなる。
【００６２】
その点、本実施形態では、突状部２３が壁体５の開口部５Ａに挿通することにより、充電スタンド１の壁体５に対するコンセント１０の位置決めを行うため、コンセント１０を壁体５の所望の取付位置に容易に位置決めすることができる。これにより、壁体５に対するコンセント１０の位置ずれを抑制することができるため、扉体３１が栓刃挿入口２５を完全に覆うことができなくなることを抑制することができる。
【００６３】
加えて、コンセント１０が壁体５に対して位置決めされるため、支持部２７およびシャフト挿通部４３を壁体５の開口部５Ａ内に配置することができる。したがって、支持部２７およびシャフト挿通部４３が壁体５と接触することにより、扉体３１が閉位置から開位置に向けて回動することができなくなることを抑制することができる。以上により、コンセント１０を壁体５に容易に組み込むことができる。
【００６４】
（２）本実施形態によれば、突状部２３の内部に凹所２４が設けられることにより、使用者がプラグ５０をコンセント１０に接続するときに使用者の手が凹所２４内に入ることを抑制することができる。加えて、扉体３１が凹所２４を覆うことにより、凹所２４内に異物が侵入することを抑制することができる。
【００６５】
（３）本実施形態では、扉体３１の当接突起部４４の固定部４４Ｂがプラグ５０の突起部５６の当接面５９Ｃと当接するため、栓刃５２が栓刃挿入口２５に挿入した状態を維持される。したがって、プラグ５０のケーブル５３を引っ掛ける等によりプラグ５０がコンセント１０から抜き去る方向に力が不用意に加わったとしても、コンセント１０からプラグ５０が抜けてしまうことを防ぐことができる。
【００６６】
（４）本実施形態では、扉体３１の他端である先端部４５が突状部２３よりも上方（他端側）に突出するため、使用者が開操作するときに、使用者の指を先端部４５に引っ掛けやすくなる。したがって、使用者が開操作を容易に行うことができる。
【００６７】
（５）本実施形態では、扉体３１の先端部４５に湾曲凹部４２が設けられる。これにより、使用者の指が湾曲凹部４２に引っ掛けやすくなる。したがって、使用者が開操作を一層容易に行うことができる。
【００６８】
（６）本実施形態では、突状部２３が壁体５の開口部５Ａに挿通することにより、壁体５に対するコンセント１０の位置決めを行う。すなわち、開口部５Ａは、コンセント１０の位置決めを行うことと、栓刃挿入口２５を外部に露出することの両方の役割を果たしている。したがって、壁体５に突状部を挿通するための専用の開口部を省略することができるため、壁体５の形状の簡単化を図ることができる。
【００６９】
（７）本実施形態では、前方から見た平面視において突状部２３の上方が湾曲形状となるとともに下方が矩形状となるように形成されている。すなわち突状部２３の形状が上下非対称に形成されている。これにより、上下方向Ｚにおいてコンセント１０の向きを容易に視認することができる。したがって、作業者がコンセント１０を壁体５に取り付ける作業を容易に行うことができる。
【００７０】
（８）本実施形態では、扉体３１が閉位置において、扉体３１が突状部２３の下端部よりも上方に配置されるとともに、扉体３１の左右方向Ｙの幅と突状部２３の矩形状の部位の左右方向Ｙの幅が略等しい。これにより、扉体３１の先端部４５が突状部２３よりも上方に突出する構成であっても、壁体５の開口部５Ａに対してコンセント１０を下方に移動させることにより開口部５Ａ内に扉体３１を挿通することができる。その後、開口部５Ａに合わせるように突状部２３を移動させることにより、突状部２３が開口部５Ａを挿通することができる。したがって、作業者が壁体５にコンセント１０を取り付ける作業を容易に行うことができる。
【００７１】
（９）本実施形態では、扉体３１を閉方向に向けて付勢するばね部材３３を有している。これにより、コンセント１０からプラグ５０を抜き去った後に、扉体３１が自動的に閉位置に回動するため、扉体３１の閉め忘れを抑制することができる。
【００７２】
（１０）本実施形態では、扉体３１に凹所４１が設けられている。したがって、コンセント１０にプラグ５０を挿入するときにプラグ５０の突起部５６が凹所４１に収容されることにより、栓刃挿入口２５に対するプラグ５０の左右方向Ｙの位置決めを行うことができる。
【００７３】
（１１）本実施形態では、コンセント１０にプラグ５０が接続された状態において、突起部５６の前方凹部５９Ａに扉体３１の当接突起部４４が収容される。これにより、プラグ５０の左右方向Ｙへの移動を規制することができる。
【００７４】
（１２）本実施形態では、扉体３１が閉位置において、扉体３１が突状部２３の前面２３Ａを押圧している。これにより、扉体３１と同前面２３Ａとの間の隙間が小さくなる。したがって、扉体３１が閉位置において、扉体３１と同前面２３Ａとの間の隙間を介して異物が侵入することを抑制することができる。
【００７５】
（１３）本実施形態によれば、プラグ５０に位置表示部５４が設けられることにより、栓刃５２の配置位置を確認することができる。これにより、作業者が直接栓刃５２を見ることにより、栓刃５２の配置位置を確認する作業を省略することができる。
【００７６】
（その他の実施形態）
本発明のコンセントは、上記実施形態に限定されることなく、例えば以下の変更が可能である。また、以下の変形例は、上記実施形態についてのみ適用されるものでなく、異なる変形例同士を互いに組み合わせて実施することもできる。
【００７７】
上記実施形態では、図１に示すように、コンセント１０を充電スタンド１の壁体５に組み付ける態様であったが、コンセント１０の使用態様はこれに限定されることはない。例えば、家屋の壁面に固定される露出コンセントとしても使用することができる。この場合、図８に示すように、コンセント本体２０の前面にカバー６０がねじ（不図示）により取り付けられる。カバー６０には、突状部２３と嵌合する開口穴６１が設けられている。カバー６０は、開口穴６１を扉体３１および突状部２３を挿通してコンセント本体２０の前面に取り付けられる。そしてこの状態において、突状部２３の前面２３Ａとカバー６０の前面とが平滑になっている。すなわち、コンセント１０の前面が平滑になっている。ここで、突状部２３の前面２３Ａとカバー６０の前面とが平滑とは、突状部２３の前面２３Ａとカバー６０の前面とが一様に滑らかに連続していればよく、前後方向Ｘに多少ずれていてもよい。
【００７８】
これにより、コンセント１０を露出コンセントとして使用した場合のコンセント１０の美観を向上することができる。加えて、コンセント１０のコンセント本体２０および扉体開閉機構３０を共通部品として、機器組み込みとしてのコンセントと、露出コンセントとを兼用することができる。これにより、機器組み込みとしてのコンセントと、露出コンセントとを各別の専用部品としてコンセント本体２０および扉体開閉機構３０を形成する場合と比較して、専用部品のための金型を省略することができる。その結果、製造コストの低減を図ることができる。
【００７９】
また、突状部２３の前面２３Ａとカバー６０の前面とは面一とすることもできる。これにより、コンセント１０を露出コンセントして使用した場合のコンセント１０の美観を一層向上することができる。
【００８０】
またカバー６０のコンセント１０への取付態様はねじに限定されることはない。例えば、カバー６０に係合爪を設けるとともにコンセント本体２０に係合凹部を設けた上で、係合爪と係合凹部とを係合することによりカバー６０をコンセント本体２０に取り付けることもできる。
【００８１】
上記実施形態において、図９に示すように、扉体３１から凹所４１および当接突起部４４を省略することもできる。この場合、扉体３１の表面は平面形状に形成される。また、図示はしないが、扉体３１から凹所４１のみ、または当接突起部４４のみを省略することもできる。
【００８２】
上記実施形態において、図１０に示すように、ケース２１から凹所２４を省略することもできる。この場合、栓刃挿入口２５は突状部２３の前面２３Ａに形成される。また、扉体３１は、栓刃挿入口２５を覆う程度に上記実施形態の扉体３１よりも小さく形成することもできる。
【００８３】
上記実施形態では、図３に示すように、扉体３１の先端部４５は、上下方向Ｚに沿って延びる形状であったが、先端部４５の形状はこれに限定されることはない。例えば、図１１（ａ）に示すように、扉体３１が閉位置において、先端部４５には、前方に向けて延びる先端突起部４６を設けることもできる。またこの先端突起部４６は、図１１（ｂ）に示すように、前方に向かうにつれて上方に向けて傾斜する形状とすることもできる。このような形状にすることにより、扉体３１に対して使用者の指を一層引っ掛けやすくなるため、使用者が開操作を一層容易に行うことができる。
【００８４】
上記実施形態では、図３に示すように、扉体３１の先端部４５が突状部２３より上方に突出したが、先端部４５は突状部２３と上下方向Ｚにおいて同位置または下方となるように設けることもできる。
【００８５】
上記実施形態では、図３に示すように、前方から見た平面視において、突状部２３は、上方が湾曲形状であるとともに下方が矩形状となるように形成されたが、突状部２３の形状はこれに限定されることはない。例えば、前方から見た平面視において、突状部２３は矩形状または円形状に形成することもできる。要するに、突状部２３は壁体５の開口部５Ａに挿通することにより、壁体５に対するコンセント１０の位置決めができる形状であればよい。
【００８６】
上記実施形態では、図１に示すように、突状部２３を壁体５の開口部５Ａに挿通することにより、壁体５に対するコンセント１０の位置決めを行ったが、突状部２３はこれに限定されることはない。例えば、壁体５の開口部５Ａとは別のところに突状部が挿通するための貫通孔を形成し、その貫通孔と対応するコンセント本体２０の前面の位置に突状部を設けることもできる。
【００８７】
上記実施形態では、図３に示すように、突状部２３の下端部に支持部２７が設けられることにより、扉体３１は支持部２７に取り付けられたシャフト３２を回動中心として回動する構成であったが、扉体３１の回動する構成はこれに限定されることはない。例えば、突状部２３の上端部に支持部２７が設けられることにより、扉体３１が支持部２７に取り付けられたシャフト３２を回動中心として回動することもできる。すなわち扉体３１の一端が上端部となり、扉体３１の他端が下端部となる。
【００８８】
上記実施形態では、図３に示すように、扉体３１は突状部２３の前面２３Ａに設けられたが、扉体３１は突状部２３の左右方向Ｙの両側面の少なくとも一方に設けることができる。
【００８９】
上記実施形態において、扉体３１が閉位置に回転した状態で、扉体３１をコンセント本体２０に仮保持させることで、扉体３１が不用意に開くのを抑制する構成を設けてもよい。図１３〜図１５に示すように、コンセント本体２０の前面には平面視の形状が矩形状であって、コンセント本体２０の前面２２から前方に突出する突状部２３が設けられている。突状部２３の中央部には、前面２３Ａから後方に向けて凹む凹所２４が設けられている。凹所２４を前方から見た平面視の形状は円形状であって、凹所２４の底面２４Ａには栓刃挿入口２５（電源用挿入口２５Ａ及び接地用挿入口２５Ｂからなる）が設けられている。突状部２３において凹所２４の下側には扉体３１を回転自在に支持する支持部２７が設けられている。また突状部２３において凹所２４の上側には、前方に向かってそれぞれ突出する２個の凸部２８が左右方向両側に設けられている。一方、扉体３１は、突状部２３と同様に、閉位置において前方から見た平面視の形状が略矩形状に形成されており、扉体３１の左右方向Ｙの幅は、突状部２３の左右方向Ｙの幅と略等しい寸法に設定されている。扉体３１の下部にはシャフト（図示せず）を挿通する一対のシャフト挿通部４３が左右方向の両側に設けられている。扉体３１がコンセント本体２０に取り付けられた状態では、一対のシャフト挿通部４３が支持部２７を左右両側に配置され、支持部２７及びシャフト挿通部４３にシャフトが挿通されることによって、扉体３１の下部がコンセント本体２０に対して回動自在に支持されている。扉体３１の左右方向中央部には、開位置において、下方に向けて凹む凹所４１が設けられ、この凹所４１には上述した当接突起部４４が設けられている。この扉体３１には、閉位置に移動した状態でコンセント本体２０の凸部２８，２８が嵌る凹部４７，４７が左右方向の両側に設けられている。また扉体３１が閉位置に移動した状態で、扉体３１の先端部４５には、斜め上側前方に向けて延びる先端突起部４６が設けられている。
【００９０】
而して、このコンセントでは、扉体３１が閉位置に回転すると、コンセント本体２０の凸部２８，２８が扉体３１の凹部４７，４７に嵌り込むことになる。よって、扉体３１に対して左右方向から外力が加わったとしても、凸部２８が凹部２７の端面に引っ掛かることで、扉体３１が開きにくくなる。したがって、ユーザが扉体３１を開くために先端突起部４６に力を加えた場合と異なり、扉体３１に横方向（左右方向）から外力が加わった場合に、扉体３１が開いてしまうのを抑制でき、栓刃挿入口２５が露出するのを抑制することができる。尚、図示例では凸部２８が２個設けられているが、凸部２８の数を２個に限定する趣旨のものではなく、１個でも良いし３個以上でもよい。また突状部２３の前面に凸部２８が設けられ、扉体３１に凹部４７が設けられているが、扉体３１に凸部が設けられるとともに、突状部２３の前面に凸部が嵌る凹部が設けられていてもよい。
【００９１】
上記実施形態では、図１に示すように、コンセント本体２０の前面が充電スタンド１の壁体５に固定されたが、コンセント本体２０の壁体５に対する取付態様はこれに限定されることはない。例えば、コンセント本体２０の後面または側面を壁体５に固定することもできる。このような場合においては、図８に示すカバー６０をコンセント本体２０に取り付けることにより、コンセント１０の美観性を向上することができる。
【００９２】
上記実施形態では、図１に示すように、コンセント１０を充電スタンド１に組み込んだが、コンセント１０の適用はこれに限定されることはない。例えば、家屋等の建物の屋外側の壁面にコンセント１０を取り付けることもできる。
【００９３】
また、上記壁面に取り付けられた制御盤にコンセント１０を組み込むこともできる。また、コンセント本体および扉体を有するコンセントにおいてコンセント本体に栓刃挿入口が前面に形成されるとともに扉体が取り付けられた突状部が設けられる構成であれば、充電スタンド１に限定されない。コンセント１０の前面側をパネル等に取り付けることにより組み込みを行う機器であれば、上記実施形態の効果（１）と同様の効果を奏することができる。
【００９４】
上記実施形態では、充電装置として、電気自動車にケーブルを介して接続することにより、電気自動車のバッテリに充電する充電スタンド１として具体化したが、充電装置の種類はこれに限定されることはない。バッテリを備える外部機器にケーブルを介して接続することにより、同バッテリに充電する装置であれば、他の装置にも適用することができる。
【符号の説明】
【００９５】
１０…コンセント、２０…コンセント本体、２３…突状部、２３Ａ…前面、２４…凹所、２５…栓刃挿入口、３１…扉体、３２…シャフト（回動の中心軸）、４４…当接突起部（固定部）、４５…先端部（扉体の他端側の端部）、５０…プラグ、５２…栓刃、５６…突起部、６０…カバー。
【図１】
2011228257.tif 000003
【図２】
2011228257.tif 000004
【図３】
2011228257.tif 000005
【図４】
2011228257.tif 000006
【図５】
2011228257.tif 000007
【図６】
2011228257.tif 000008
【図７】
2011228257.tif 000009
【図８】
2011228257.tif 000010
【図９】
2011228257.tif 000011
【図１０】
2011228257.tif 000012
【図１１】
2011228257.tif 000013
【図１２】
2011228257.tif 000014
【図１３】
2011228257.tif 000015
【図１４】
2011228257.tif 000016
【図１５】
2011228257.tif 000017